(57)【要約】【課題】  操作内容を使用者に確実に認識させることができる薬液ポンプを提供すること。【解決手段】  所定の情報を表示する複数の表示部２９〜３２と、これら表示部２９〜３２の表示内容に対応する操作を行う複数の操作部３４又は３６〜３８とを有する操作パネル２５と、前記操作部３４又は３６〜３８の操作に応じて薬液を吐出させる制御部１３とを備え、前記操作パネル２５には、各表示部２９〜３２とこれらに対応する操作部３４又は３６〜３８とが相互に近接して配置されている。【選択図】      図５
2006263351.tif 000002
【特許請求の範囲】
【請求項１】
薬液を吐出させる薬液ポンプであって、
所定の情報を表示する複数の表示部と、これら表示部の表示内容に対応する操作を行う複数の操作部とを有する操作パネルと、
前記操作部の操作に応じて薬液を吐出させる制御部とを備え、
前記操作パネルには、前記各表示部とこれらに対応する操作部とが相互に近接して配置されていることを特徴とする薬液ポンプ。
【請求項２】
前記操作パネルには、前記各表示部が一列に並んで配置されているとともに、この列方向における各表示部の幅範囲内で当該列方向と直交する方向に近接して、各表示部に対応する操作部がそれぞれ配置されていることを特徴とする請求項１に記載の薬液ポンプ。
【請求項３】
前記各操作部は、前記各表示部の列と略平行して一列に配置されていることを特徴とする請求項２に記載の薬液ポンプ。
【請求項４】
前記各表示部は、予め設定された操作順序に並べて配置されていることを特徴とする請求項２又は３に記載の薬液ポンプ。
【請求項５】
輸液セットのチューブの途中部が配索される本体部と、この本体部との間で前記チューブを挟持する挟圧部と、挟持されたチューブを扱くことが可能な圧送部とをさらに備え、前記表示部は、少なくとも、前記輸液セットに予め設定された滴数を表示する滴数表示部と、薬液の流量を表示する流量表示部と、吐出予定の薬液予定量を表示する予定量表示部とを備えている一方、前記操作部は、少なくとも、前記滴数を設定する滴数操作部と、前記流量を設定する流量操作部と、前記薬液予定量を設定する予定量操作部とを備えていることを特徴とする請求項１〜４の何れか１項に記載の薬液ポンプ。
【請求項６】
前記操作パネルには、前記表示部とこれに対応する操作部との組合せのうち、次の操作対象となる組合せを指示する案内灯が設けられ、前記制御部は、予め設定された操作順序に合せて前記各案内灯を順次点灯又は点滅させるように構成されていることを特徴とする請求項１〜５の何れか１項に記載の薬液ポンプ。
【請求項７】
前記案内灯は、前記各表示部と各操作部との間にそれぞれ設けられていることを特徴とする請求項６に記載の薬液ポンプ。
【請求項８】
前記案内灯は、前記操作部を照明することにより操作対象となる前記組合せを特定するように構成されていることを特徴とする請求項６又は７に記載の薬液ポンプ。
【発明の詳細な説明】
【技術分野】
【０００１】
本発明は、薬液を吐出させる薬液ポンプに関するものである。
【背景技術】
【０００２】
例えば、特許文献１に開示されるように、輸液セットのチューブの途中部を扱いて輸液バッグ内の薬液を患者に注入する輸液ポンプが知られている。
【０００３】
この種の輸液ポンプは、使用者により設定された薬液流量や積算量を個別に表示する複数の表示部と、これら表示部に対応する各設定値を入力する共通のアップダウンスイッチとを備えている。
【特許文献１】特開２００２−５８７３８号公報
【発明の開示】
【発明が解決しようとする課題】
【０００４】
しかしながら、前記輸液ポンプでは、複数の表示部に対応する操作を共通のスイッチを用いて行うようにしているので、何れの表示部に対応する操作を行っているのかを使用者に認識させることが困難だった。
【０００５】
本発明は、上記課題に鑑みてなされたものであり、操作内容を使用者に確実に認識させることができる薬液ポンプを提供することを目的としている。
【課題を解決するための手段】
【０００６】
上記課題を解決するために本発明は、薬液を吐出させる薬液ポンプであって、所定の情報を表示する複数の表示部と、これら表示部の表示内容に対応する操作を行う複数の操作部とを有する操作パネルと、前記操作部の操作に応じて薬液を吐出させる制御部とを備え、前記操作パネルには、前記各表示部とこれらに対応する操作部とが相互に近接して配置されていることを特徴とする薬液ポンプを提供する。
【０００７】
本発明によれば、複数の表示部とこれら表示部に個別に対応する複数の操作部とを備えているとともに、これら表示部と操作部とが相互に近接して配置されているので、特定の表示部について、それに近接する操作部が操作対象のものであることを容易に特定することができ、これにより、使用者に対して操作内容を確実に認識させることができる。
【０００８】
前記操作パネルにおける各表示部の配置は、特に限定されることはないが、前記操作パネルには、前記各表示部が一列に並んで配置されているとともに、この列方向における各表示部の幅範囲内で当該列方向と直交する方向に近接して、各表示部に対応する操作部がそれぞれ配置されていることが好ましい。
【０００９】
この構成によれば、前記各表示部が一列に並べて配置されているので、当該列方向に沿って表示部を眺めることにより、その表示内容を一望することができ、当該表示内容の視認性を向上させることができる。
【００１０】
前記各操作部同士の配列は特に限定されることはないが、前記各操作部は、前記各表示部の列と略平行して一列に配置されていることが好ましい。
【００１１】
この構成によれば、使用者は、各操作部の列方向に沿って操作を進めていくことができるので、各操作部が点在する場合と比較して操作性を向上することができる。
【００１２】
前記各表示部同士の配列は特に限定されることはないが、前記各表示部は、予め設定された操作順序に並べて配置されていることが好ましい。
【００１３】
この構成によれば、端に配置された表示部からその列方向に沿って操作を進めていくことができるので、操作性をより向上させることができる。
【００１４】
前記薬液ポンプにおいて、輸液セットのチューブの途中部が配索される本体部と、この本体部との間で前記チューブを挟持する挟圧部と、挟持されたチューブを扱くことが可能な圧送部とをさらに備え、前記表示部は、少なくとも、前記輸液セットに予め設定された滴数を表示する滴数表示部と、薬液の流量を表示する流量表示部と、吐出予定の薬液予定量を表示する予定量表示部とを備えている一方、前記操作部は、少なくとも、前記滴数を設定する滴数操作部と、前記流量を設定する流量操作部と、前記薬液予定量を設定する予定量操作部とを備えていることが好ましい。
【００１５】
この構成によれば、前記滴数、流量及び予定量を設定する作業を使用者に確実に認識させることができるので、これらを確実に設定した上で薬液を吐出させることができる。
【００１６】
さらに、前記操作パネルには、前記表示部とこれに対応する操作部との組合せのうち、次の操作対象となる組合せを指示する案内灯が設けられ、前記制御部は、予め設定された操作順序に合せて前記各案内灯を順次点灯又は点滅させるように構成されていることが好ましい。
【００１７】
この構成によれば、操作順序に合せて点灯又は点滅する案内灯により、次の操作対象となる表示部及び操作部の組合せを指示することができるので、使用者は、この案内灯に従って順次操作を進めることができる。
【００１８】
ここで、前記案内灯は、前記各表示部と各操作部との間にそれぞれ設けられたものを採用することができる。
【００１９】
この構成によれば、案内灯を点灯又は点滅させることによりこの案内灯の両側に配置された表示部及び操作部を順次指示することができる。
【００２０】
また、前記案内灯は、前記操作部を照明するようにしてもよい。
【００２１】
このようにすれば、案内灯により照明された操作部が次の操作対象のものであることを使用者に指示することができるだけでなく、この操作部に近接する表示部が前記操作部に対応するものであること使用者に認識させることができる。
【発明の効果】
【００２２】
本発明によれば、複数の表示部とこれら表示部に個別に対応する複数の操作部とを備えているとともに、これら表示部と操作部とが相互に近接して配置されているので、特定の表示部について、それに近接する操作部が操作対象のものであることを容易に特定することができ、これにより、使用者に対して操作内容を確実に認識させることができる。
【発明を実施するための最良の形態】
【００２３】
以下、本発明の好ましい実施形態について、図面を参照して説明する。
【００２４】
本実施形態に係る輸液ポンプ１は、図２に示すように、輸液セット２と組み合わせて使用される。
【００２５】
具体的に、輸液セット２は、薬液を収容する薬液バッグ３に接続されることによりこの薬液バック３内の薬液を導出するチューブ４と、このチューブ４内の流路を開閉自在な図略のクレンメとを備えている。
【００２６】
前記チューブ４は、前記薬液バッグ３のポート部３ａを貫くことが可能な連結針５を一方の端末に備えているとともに、患者の静脈等に穿刺される注射針６に接続可能な図略のコネクタを他方の端末に備えており、その内腔部を通じて薬液バック３内の薬液を患者へ注入することが可能とされている。つまり、前記チューブ４は、前記連結針５の配設側が上流側、前記コネクタの配設側が下流側として設定されている。
【００２７】
前記連結針５には、点滴筒７が一体に形成されている。この点滴筒７は、薬液注入時に所定量の薬液が充填され、その水面に前記薬液バッグ３から滴下される薬液（点滴）を目安として使用者が薬液注入の流量等を判断するために使用される。
【００２８】
前記輸液セット２、薬液バッグ３及び注射針６を組み合わせて使用する場合には、輸液バッグ３を図略のスタンドポール等に吊下げることにより薬液バッグ３と注射針６との高低差（気圧差）に応じて薬液に付与される力を利用して、薬液を患者へ注入することができる。
【００２９】
そして、本実施形態に係る輸液ポンプ１は、より精密な流量で薬液を吐出させるべく、前記チューブ４の途中部を扱くようになっている。以下、輸液ポンプ１の具体的構成について説明する。
【００３０】
図１は、本発明の実施形態に係る輸液ポンプ１の全体構成を示す斜視図である。図２は、図１の輸液ポンプ１のドアが開放状態とされた状態を示す平面図である。図３は、図２に示す輸液ポンプ１の側面図である。
【００３１】
各図を参照して、輸液ポンプ１は、略直方体の本体部１０と、この本体部１０の長辺に沿った軸Ｊ１周りに揺動自在に支持されたドア１１と、前記本体部１０に着脱可能とされた点滴検出センサ１２と、前記本体部１０に内蔵された制御部１３及びスピーカ６２（図６参照）とを備え、前記ドア１１は、本体部１０の上面を被覆する被覆姿勢（図１の姿勢）と、本体部１０の上面を開放する開放姿勢（図２及び図３の姿勢）との間で揺動自在とされている。なお、以下の説明では、前記本体部１０の長手方向を仮に左右方向とし、本体部１０の幅方向において前記軸Ｊ１が配設されている側を仮に後方として説明する。
【００３２】
前記本体部１０は、主に合成樹脂で形成された箱体であり、その右側面には、図略のスタンドポール等に対する吊下げ用のループ部１４が突出して形成されている。前記本体部１０には、その上面に前記チューブ４を配索する配索経路ＰＨ１（図１参照）が左右方向に沿って設定されており、この配索経路に沿って右側から順に圧送部１５及び保持部１６が設けられている。
【００３３】
圧送部１５は、前記ドア１１の被覆範囲内でその上部（後述する各フィンガー２１）を露出した状態で前記本体部１０に内蔵されている。すなわち、前記圧送部１５は、前記配索経路ＰＨ１に沿って配索されたチューブ４の途中部を前記ドア１１との間で挟持するとともに、当該ドア１１と協働して、挟持されているチューブ４をその軸線方向に沿って扱くようになっている。
【００３４】
具体的に、前記圧送部１５は、図４の（ａ）に示すように、モータ１７と、このモータ１７の出力軸１７ａにタイミングベルト１８を介して駆動連結されたカムシャフト１９と、このカムシャフト１９の軸線方向（左右方向）に沿って並ぶ複数のカム２０と、これらカム２０の回転動作に応じて個別に上下動する複数のフィンガー２１とを備えている。
【００３５】
そして、前記圧送部１５は、前記各カム２０が所定の位相差をもってカムシャフト１９に固着されていることにより、図４の（ｂ）に示すように、モータ１７の回転駆動に応じて各フィンガー２１を前記配索経路ＰＨ１の上流側から下流側（右から左）へ向けて蠕動させることができる。
【００３６】
一方、同図に示すように、前記ドア１１は、圧縮ばね２２に付勢された支持板２３をその内側に有し、前記被覆姿勢とされた場合に、この支持板２３と前記各フィンガー２３との間でチューブ４を挟持することが可能とされている。そのため、前記支持板２３と各フィンガー２３との間に弾性的に挟持されたチューブ４は、前記各フィンガー２１の蠕動により扱かれ、その結果、矢印Ｙ１に示すように、チューブ４内の薬液が右から左へ向けて押し流されることになる。
【００３７】
なお、同図に示すように、前記圧送部１５の左右両側には、上方に開く二股状のガイド２４が前記本体部１０の上方に突出して形成され、これらガイド２４内にそれぞれチューブ４が挿入されることにより、前記配索経路ＰＨ１に沿ってチューブ４を配索することができるようになっている。そして、前記支持板２３は、これらガイド２４の間でチューブ４を挟持するように寸法設定されている。
【００３８】
再び図１〜図３を参照して、前記保持部１６は、前記配索経路ＰＨに沿って本体部１０に装着されたチューブ４に装着された図略のクレンメを保持するようになっている。
【００３９】
前記点滴検出センサ１２は、図２に示すように、輸液セット２の点滴筒７に装着可能に構成されており、この点滴筒７内で滴下される薬液を検出して、この検出信号を後述する制御部１３へ送信するようになっている。
【００４０】
そして、前記本体部１０の上面には、前記圧送部１５及び保持部１６の前方に操作パネル２５が設けられている。
【００４１】
図５は、図１の輸液ポンプ１に設けられた操作パネル２５を示す平面図である。
【００４２】
図５を参照して、操作パネル２５は、左右方向に延びる表示部２６と、この表示部２６と略平行して配置された操作部２７と、これら表示部２６と操作部２７との間に設けられた複数のナビゲーションランプ（案内灯）２８とを備えている。
【００４３】
表示部２６は、その表面を被覆するカバーシートと、このカバーシートの裏面に設けられたＬＥＤ等の光源を組み合わせて構成されたものである。前記カバーシートの要所には、必要事項（例えば、流量ｍｌ／ｈ等）が印刷されているとともに、前記光源の正面に配置されている個所に光透過性を有する未印刷部分が形成され、この未印刷部分を介して前記光源の光を正面側へ透過させることにより後述する情報が表示される。
【００４４】
具体的に、前記表示部２６には、左から順に、滴数表示部２９、流量表示部３０、予定量等表示部３１及びステータス表示部３２が設けられている。
【００４５】
滴数表示部２９は、１ｍｌ当たりに前記点滴筒７内で滴下する薬液の滴数であって、後述する滴数操作部３４により設定された滴数を表示するようになっている。
【００４６】
流量表示部３０は、薬液流量の設定値であって、後述する流量操作部３６により設定された流量を表示するようになっている。
【００４７】
予定量等表示部３１は、薬液注入の予定量であって、後述する予定量操作部３８により設定された流量を表示するようになっている。
【００４８】
ステータス表示部３２は、主に薬液注入動作に関し使用者へ報知すべき事項、例えば、電力供給の状態を示す電力供給ランプ３２ａ、薬液注入の終了を示す完了ランプ３２ｂ又は滴数の異常を示す点滴異常ランプ３２ｃを点灯することが可能とされている。
【００４９】
一方、前記操作部２７は、表面を被覆するカバーシートと、このカバーシートにエンボス加工等により施された隆起部の裏側に配置されたスイッチとを組み合わせて構成されたものであり、前記隆起部の押し込み操作に応じて前記スイッチが押下されるようになっている。なお、前記カバーシートには、その必要個所に「電源」等の印刷が施されているとともに、前記隆起部の縁部が光透過性を有する未印刷部分とされ、この未印刷部分の裏側に配置されたＬＥＤ等の光源によって、前記隆起部の縁を裏側から照明することも可能とされている。
【００５０】
具体的に、前記操作部２７には、左から順に、電源キー３３、滴数操作部３４、確定キー３５、流量操作部３６、予定量等操作部３７及び駆動操作部３８が設けられている。
【００５１】
電源キー３３は、輸液ポンプ１の電源をＯＮ又はＯＦＦするためのものである。
【００５２】
滴数操作部３４は、前記滴数表示部２９の幅範囲Ｗ１内で当該滴数表示部２９の前方に配置されている。この滴数操作部３４は、滴数セットキー３９を備えており、この滴数セットキー３９を押下することに応じて前記滴数表示部２９に表示されている滴数をカウントアップするとともに、予め設定された最大滴数（例えば、２０滴／ｍｌ）まで到達した場合に、予め設定された最小滴数（例えば、１０滴／ｍｌ）にリターンするようになっている。ここで、前記滴数操作部３４により入力される滴数は、前記輸液セット２ごとに予め定められた値であり、後述する滴数検出センサ１２により検出される実際の滴数と比較して、前記圧送部１５による流量精度の整合性を保たせるために使用される。
【００５３】
流量操作部３６は、前記流量表示部３０の幅範囲Ｗ２内で当該流量表示部３０の前方に配置されている。この流量操作部３６は、アップダウンキー４０と、スキップアップダウンキー４１とを備えており、これらのキー４０、４１を押下することに応じて前記流量表示部３０に表示されている流量をカウントアップ又はダウンすることができるようになっている。
【００５４】
予定量等操作部３７は、前記予定量等表示部３１の幅範囲Ｗ３内で当該予定量等表示部３１の前方に配置されている。この予定量等操作部３７は、アップダウンキー４２と、スキップアップダウンキー４３と、クリアキー４４と、切換キー４５とを備えており、前記各キー４２、４３を押下することに応じて前記予定量等表示部３１に表示されている予定量をカウントアップ又はダウンすることができるようになっているとともに、前記クリアキー４４を押下することにより既に入力された予定量を０にリセットすることが可能とされている。なお、切換キー４５は、薬液注入動作中に計測された注入薬液の積算量や注入時間を前記予定量等表示部３１に表示させるためのものである。
【００５５】
駆動操作部３８は、前記ステータス表示部３２の幅範囲Ｗ４内で当該ステータス表示部３２の前方に配置されている。この駆動操作部３８は、早送りキー４６と、開始キー４７と、停止キー４８と、消音キー４９とを備えており、前記開始キー４７の押下に応じて薬液注入を開始させるとともに、前記停止キー４８の押下に応じて薬液注入を停止するようになっている。前記早送りキー４６は、予め設定された早送り速度で前記モータ１７を駆動させることにより比較的多量の薬液を一括して吐出させるためのものであり、前記輸液セット２のプライミングの際（チューブ４内のエアを抜く際）等に主に利用される。前記消音キー４９は、後述するスピーカ６２による警告音等を停止させるためのものである。
【００５６】
なお、前記確定キー３５は、前記滴数、流量及び予定量の設定値の入力を確定する際に共通して使用されるものである。
【００５７】
ナビゲーションランプ２８は、表面を被覆するカバーシートと、このカバーシートの裏側に配置されたＬＥＤ等の光源とを組み合わせて形成されたものであり、この光源により前記カバーシートの適所に形成された光透過性を有する未印刷部分を照明するようになっている。
【００５８】
具体的に、前記ナビゲーションランプ２８は、滴数ナビゲーションランプ５０と、流量ナビゲーションランプ５１と、予定量ナビゲーションランプ５２と、駆動用ナビゲーションランプ５３とを備えている。
【００５９】
滴数ナビゲーションランプ５０は、前記滴数表示部２９の幅寸法Ｗ１と略同一の幅寸法Ｗ５に設定されている。
【００６０】
流量ナビゲーションランプ５１は、前記流量表示部３０の幅寸法Ｗ２と略同一の幅寸法Ｗ６に設定されている。
【００６１】
予定量ナビゲーションランプ５２は、前記予定量表示部３１の幅寸法Ｗ３と略同一の幅寸法Ｗ７に設定されている。
【００６２】
駆動用ナビゲーションランプ５３は、前記ステータス表示部３２の幅寸法Ｗ４内に配置された４つのランプ部分を有している。具体的に、駆動用ナビゲーションランプ５３には、左から順に、前記早送りキー４６の幅寸法Ｗ８と略同一の幅寸法に設定された早送りナビゲーションランプ５４、前記開始キー４６の幅寸法Ｗ９と略同一の幅寸法に設定された開始ナビゲーションランプ５５、前記停止キー４８の幅寸法Ｗ１０と略同一の幅寸法に設定された停止ナビゲーションランプ５６及び前記消音キー４９の幅寸法Ｗ１１と略同一の幅寸法に設定された消音ナビゲーションランプ５７がそれぞれ対応するキーの前方位置に設けられている。
【００６３】
以下、前記本体部１０に内蔵された制御部１３について、図６を参照して説明する。
【００６４】
図６は、図１の輸液ポンプ１に内蔵された制御部１３の要部構成を示すブロック図である。
【００６５】
制御部１３は、各種演算処理を実行するＣＰＵと、予め設定された制御プログラム等を上書き可能に記憶するＲＡＭ等とを備え、主として、表示制御部５８、ナビゲーション点灯制御部５９、報知制御部６０及び駆動制御部６１として機能するようになっている。
【００６６】
表示制御部５８は、前記操作部２７の入力操作又は前記点滴検出センサ１２の出力信号に応じて、前記表示部２６の表示内容を調整するようになっている。
【００６７】
ナビゲーション点灯制御部５９は、前記操作部２７の入力操作又は前記点滴検出センサ１２の出力信号に応じて、前記ナビゲーションランプ２８を点灯又は消灯若しくは点滅させるようになっている。
【００６８】
報知制御部６０は、前記操作部２７の入力操作又は前記点滴検出センサ１２の出力信号に応じて、前記本体部１０に内蔵されたスピーカ６２による音声報知又は警告音を発生又は停止させるようになっている。
【００６９】
駆動制御部６１は、前記操作部２７の入力操作又は前記点滴検出センサ１２の出力信号に応じて、前記モータ１７を駆動又は停止するようになっている。
【００７０】
以下、前記制御部１３により実行される処理について、図７〜図９のフローチャートを参照して説明する。
【００７１】
図７を参照して、前記制御部１３の処理が開始すると、まず、初期設定が実行される（ステップＳ１）。この初期設定では、主にモータ１７等の内部構成が駆動可能な状態にあるか否か等の動作確認が実行される。
【００７２】
次いで、図１０の（ａ）に示すように、前記滴数ナビゲーションランプ５０を点滅させる（ステップＳ２）。これにより、使用者は、滴数ナビゲーションランプ５０の両側にある滴数表示部２９及び滴数操作部３４を見て、滴数表示部２９に表示されるべき滴数設定値を滴数操作部３４を用いて入力することを容易に認識することができる。
【００７３】
そして、前記スピーカ６２によって滴数を設定すべきことを音声で報知する（ステップＳ３）とともに、前記滴数操作部３４により滴数の入力が行われたか否かが判定され（ステップＳ４）、ここで、滴数の入力が行われていないと判定されると（ステップＳ４でＮＯ）、前記ステップＳ２を繰り返し実行する。
【００７４】
一方、滴数操作部３４により滴数の入力操作が行われたと判定されると（ステップＳ４でＹＥＳ）、その入力操作（押下の回数）に応じて前記滴数表示部２９の表示内容を変更する（ステップＳ５）。
【００７５】
次いで、前記確定キー３５が押下され、滴数を確定すべき旨の入力がされたか否かが判定され（ステップＳ６）、ここで、確定キー３５が押下されていないと判定されると（ステップＳ６でＮＯ）、前記ステップＳ２を繰り返し実行する。
【００７６】
一方、確定キー３５が押下されたと判定されると（ステップＳ６でＹＥＳ）、図１０の（ｂ）に示すように、前記滴数ナビゲーションランプ５０を消灯するとともに前記流量ナビゲーションランプ５１を点滅させる（ステップＳ７）。これにより、使用者は、流量ナビゲーションランプ５１の両側にある流量表示部３０及び流量操作部３６を見て、流量表示部３０に表示されるべき流量設定値を流量操作部３６を用いて入力することを容易に認識することができる。
【００７７】
そして、前記スピーカ６２によって流量を設定すべきことを音声で報知する（ステップＳ８）とともに、前記流量操作部３６により流量の入力が行われたか否かが判定され（ステップＳ９）、ここで、流量の入力が行われていないと判定されると（ステップＳ９でＮＯ）、前記ステップＳ７を繰り返し実行する。
【００７８】
一方、流量操作部３６により流量の入力操作が行われたと判定されると（ステップＳ９でＹＥＳ）、その入力操作（カウントアップ又はダウンの回数）に応じて前記流量表示部３０の表示内容を変更する（ステップＳ１０）。
【００７９】
次いで、前記確定キー３５が押下され、流量を確定すべき旨の入力がされたか否かが判定され（ステップＳ１１）、ここで、確定キー３５が押下されていないと判定されると（ステップＳ１１でＮＯ）、前記ステップＳ７を繰り返し実行する。
【００８０】
一方、確定キー３５が押下されたと判定されると（ステップＳ１１でＹＥＳ）、図８及び図１０の（ｃ）に示すように、前記流量ナビゲーションランプ５１を消灯して前記予定量ナビゲーションランプ５２を点滅させる（ステップＳ１２）。これにより、使用者は、予定量ナビゲーションランプ５２の両側にある予定量表示部３１及び予定量操作部３７を見て、予定量表示部３１に表示されるべき予定量設定値を予定量操作部３７を用いて入力することを容易に認識することができる。
【００８１】
そして、前記スピーカ６２によって予定量を設定すべきことを音声で報知する（ステップＳ１３）とともに、前記予定量操作部３７により予定量の入力が行われたか否かが判定され（ステップＳ１４）、ここで、予定量の入力が行われていないと判定されると（ステップＳ１４でＮＯ）、前記ステップＳ１２を繰り返し実行する。
【００８２】
一方、予定量操作部３７により予定量の入力操作が行われたと判定されると（ステップＳ１２でＹＥＳ）、その入力操作（カウントアップ又はダウンの回数）に応じて前記予定量表示部３１の表示内容を変更する（ステップＳ１５）。
【００８３】
次いで、前記確定キー３５が押下され、予定量を確定すべき旨の入力がされたか否かが判定され（ステップＳ１６）、ここで、確定キー３５が押下されていないと判定されると（ステップＳ１６でＮＯ）、前記ステップＳ１２を繰り返し実行する。
【００８４】
一方、確定キー３５が押下されたと判定されると（ステップＳ１６でＹＥＳ）、図１０の（ｄ）に示すように、前記予定量ナビゲーションランプ５２を消灯して前記開始ナビゲーションランプ５５及び早送りナビゲーションランプ５４を点滅させる（ステップＳ１７）。これにより、使用者は、開始ナビゲーションランプ５５の後方にあるステータス表示部３２の電力供給ランプ３２ａを見て薬液注入を正常に実行することができるか否かを確認しながら、開始ナビゲーションランプ５５の前方にある開始キー４７を見て薬液注入を開始することを容易に認識することができる。なお、前記ステップＳ１７において、早送りナビゲーションランプ５４を点滅させているのは、上述の薬液注入の準備操作の際に、前記チューブ４内に気泡を見つけた場合等、薬液を吐出させる必要が生じることがあるためである。
【００８５】
次いで、前記開始キー４７が押下されるのを待機して（ステップＳ１８）、開始キー４７が押下されると（ステップＳ１８でＹＥＳ）、前記開始ナビゲーションランプ５５及び早送りナビゲーションランプ５４を消灯して（ステップＳ１９）、薬液の注入処理Ｔを実行する。
【００８６】
図９を参照して、注入処理Ｔが開始されると、前記操作パネル２５により予め入力された流量等の設定値に基づいて前記モータ１７を駆動する（ステップＴ１）。
【００８７】
次いで、前記予定量等操作部３７により設定された予定量が吐出されたこと、又は前記点滴検出センサ１２により点滴筒７内の滴下が行われていないこと等の情報に基づいて薬液注入が終了したか否かが判定される（ステップＴ２）。
【００８８】
ここで、薬液注入が終了したと判定されると（ステップＴ２でＹＥＳ）、前記モータ１７を停止させる（ステップＴ３）とともに、図１０の（ｄ）に示すように、前記開始ナビゲーションランプ５５及び早送りナビゲーションランプ５４を点滅させて（ステップＴ４）、当該処理を終了する。
【００８９】
一方、前記ステップＴ２で薬液注入が終了していないと判定されると（ステップＴ２でＮＯ）、前記点滴検出センサ１２により点滴異常が発生したか否かを判定する（ステップＴ５）。ここで、点滴異常とは、前記滴数操作部３４により設定された１ｍｌ当たりの滴数と、前記点滴検出センサ１２により検出された吐出量当たりの滴数とを比較して、これらの差分が所定の誤差範囲をオーバーした場合に判定されるエラーであり、薬液が設定された流量で吐出されていないことを意味している。
【００９０】
ここで、点滴異常が発生していないと判定されると（ステップＴ５でＮＯ）、前記ステップＴ２を繰り返し実行する一方、点滴異常が発生していると判定されると（ステップＴ５でＹＥＳ）、前記モータ１７を停止させる（ステップＴ６）。
【００９１】
次いで、前記スピーカ６２によって点滴異常が発生した旨を警告音で報知し（ステップＴ７）、図１１の（ａ）に示すように、前記ステータス表示部３２の点滴異常ランプ３２ｃを点灯させるとともに、消音ナビゲーションランプ５７を点滅させる（ステップＴ８）。これにより、使用者は、前記消音ナビゲーションランプ５７の後方にある点滴異常ランプ３２ｃを見てその異常内容を確認するともに、消音ナビゲーションランプ５７の前方にある消音キー４９を操作することにより前記警告音を停止させることを容易に認識することができる。
【００９２】
そして、前記消音キー４９が操作されたか否かが判定され（ステップＴ９）、ここで、操作されていないと判定されると（ステップＴ９でＮＯ）、前記ステップＴ８を繰り返し実行する。
【００９３】
一方、前記消音キー４９が操作されたと判定されると（ステップＴ９でＹＥＳ）、前記警告音の出力を停止するとともに（ステップＴ１０）、点滴異常が発生した旨を音声で報知し（ステップＴ１１）、さらに、前記消音ナビゲーションランプ５７を消灯した上で（ステップＴ１２）、当該処理を終了する。
【００９４】
なお、前記注入処理Ｔの実行中においては、前記停止キー４８の操作に応じて前記モータ１７を停止させることができるようになっており、このときには、図１１の（ｂ）に示すように、早送りナビゲーションランプ５４及び開始ナビゲーションランプ５５が点滅するようになっている。
【００９５】
また、前記注入処理Ｔでは、点滴検出センサ１２による異常のみを検知する例について説明しているが、異常を検知するための契機については特に限定されることはない。例えば、前記ドア１１が開閉を検出するセンサを設け、このセンサによりドア１１が開放されていることが検出された場合に前記ステータス表示部３２にドア１１が開放されている旨を表示させるとともに、消音ナビゲーションランプ５７を点滅させるようにすることもできる。
【００９６】
以上説明したように、前記実施形態に係る輸液ポンプ１によれば、複数の表示部２９〜３２とこれら表示部２９〜３２に個別に対応する複数の操作部３４又は３６〜３８とを備えているとともに、これら各表示部２９〜３２と操作部３４又は３６〜３８とが相互に近接して配置されているので、特定の表示部２９〜３２について、それに近接する操作部が操作対象のものであることを容易に特定することができ、これにより、使用者に対して操作内容を確実に認識させることができる。
【００９７】
前記実施形態のように、各表示部２９〜３２が一列に並べて配置された構成によれば、その列方向（左右方向）に沿って表示部２９〜３２を眺めることにより、その表示内容を一望することができ、当該表示内容の視認性を向上させることができる。
【００９８】
前記実施形態のように、各表示部２９〜３２の配列と各操作部３４又は３６〜３８の配列とを略平行とすれば、使用者は、各操作部３４又は３６〜３８の列方向（左右方向）に沿って操作を進めていくことができるので、各操作部３４又は３６〜３８が点在する場合と比較して操作性を向上することができる。
【００９９】
前記実施形態のように、各表示部２９〜３２を予め設定された操作順序に合せて左から順に並べて配置すれば、左端に配置された滴数操作部３４から右方向へ操作を進めていくことができるので、操作性をより向上させることができる。
【０１００】
前記実施形態のように、表示部２６に滴数表示部２９、流量表示部３０及び予定量等表示部３１を形成する一方、操作部２７に滴数操作部３４、流量操作部３６及び予定量等操作部３７を形成すれば、滴数、流量及び予定量を設定する作業を使用者に確実に認識させることができるので、これらを確実に設定した上で薬液を吐出させることができる。
【０１０１】
前記実施形態のように、各表示部２９〜３２と操作部３４又は３６〜３８との間にそれぞれナビゲーションランプ５０〜５７を設け、これらナビゲーションランプ５０〜５７を予め設定された操作順序に合せて順次点灯又は点滅させるようにすれば、各ナビゲーションランプ５０〜５７を点灯又は点滅させることによりこのナビゲーションランプ５０〜５７の両側に配置された表示部２９〜３２又は操作部３４又は３６〜３８を順次指示することができるので、使用者に対し、点灯又は点滅しているナビゲーションランプ５０〜５７に対応する操作部３４又は３６〜３８が次の操作対象のものであることを確実に認識させることができる。
【０１０２】
なお、前記実施形態では、各表示部２９〜３２と操作部３４又は３６〜３８との間に設けられたナビゲーションランプ５０〜５７により、特定の表示部とこれに対応する操作部との組合せを指示するようにしているが、この指示の態様は、前記ナビゲーションランプ５０〜５７に限定されることはない。例えば、前記操作部３４又は３６〜３８に配設された各キー３９〜４９（図５参照）を適宜照明することにより、当該各キー３９〜４９のうち、特定のキーが次の操作対象のものであることを指示するようにしてもよい。このようにすれば、照明されたキーを含む操作部３４又は３６〜３８が次の操作対象のものであることを使用者に指示することができるだけでなく、この操作部に近接する表示部２９〜３２が前記操作部３４又は３６〜３８に対応するものであることを使用者に認識させることができる。
【０１０３】
また、前記実施形態では、輸液セット２のチューブ４の途中部を扱くことにより、輸液バッグ３内の薬液を吐出させる輸液ポンプ１を例に挙げて説明したが、薬液を吐出させる機構は特に限定されることはなく、例えば、シリンジの押し子を押動させる、いわゆるシリンジポンプについても、前記操作パネル２５を好適に採用することができる。すなわち、本発明に係る操作パネル２５は、薬液を吐出させるポンプであれば好適に採用することができる。
【図面の簡単な説明】
【０１０４】
【図１】本発明の実施形態に係る輸液ポンプの全体構成を示す斜視図である。
【図２】図１の輸液ポンプのドアが開放状態とされた状態を示す平面図である。
【図３】図２に示す輸液ポンプの側面図である。
【図４】図１の輸液ポンプの圧送部の要部構成を示す正面断面図であり、（ａ）は上流側を扱いている状態、（ｂ）は下流側を扱いている状態をそれぞれ示している。
【図５】図１の輸液ポンプに設けられた操作パネルを示す平面図である。
【図６】図１の輸液ポンプに内蔵された制御部の要部構成を示すブロック図である。
【図７】図６の制御装置による処理の前半部を示すフローチャートである。
【図８】図６の制御装置による処理の後半部を示すフローチャートである。
【図９】図８の注入処理を示すフローチャートである。
【図１０】図５の操作パネルのナビゲーションランプが点滅した状態を示す平面図であり、（ａ）は滴数ナビゲーションランプが点滅した状態、（ｂ）は流量ナビゲーションランプが点滅した状態、（ｃ）は予定量ナビゲーションランプが点滅した状態、（ｄ）は開始ナビゲーションランプが点滅した状態をそれぞれ示している。
【図１１】図５の操作パネルのナビゲーションランプが点滅した状態を示す平面図であり、（ａ）は消音ナビゲーションランプが点滅した状態、（ｂ）は開始及び早送りナビゲーションランプが点滅した状態をそれぞれ示している。
【符号の説明】
【０１０５】
１    輸液ポンプ
２    輸液セット
３    薬液バッグ
４    チューブ
１０    本体部
１１    ドア（挟圧部）
１３    制御部
２５    操作パネル
２６    表示部
２７    操作部
２８    ナビゲーションランプ
２９    滴数表示部
３０    流量表示部
３１    予定量等表示部（予定量表示部）
３２    ステータス表示部
３４    滴数操作部
３６    流量操作部
３７    予定量等操作部（予定量操作部）
３８    駆動操作部
５０    滴数ナビゲーションランプ
５１    流量ナビゲーションランプ
５２    予定量ナビゲーションランプ
５３    駆動用ナビゲーションランプ
Ｗ１〜Ｗ４    幅範囲
【図１】
2006263351.tif 000003
【図２】
2006263351.tif 000004
【図３】
2006263351.tif 000005
【図４】
2006263351.tif 000006
【図５】
2006263351.tif 000007
【図６】
2006263351.tif 000008
【図７】
2006263351.tif 000009
【図８】
2006263351.tif 000010
【図９】
2006263351.tif 000011
【図１０】
2006263351.tif 000012
【図１１】
2006263351.tif 000013